(57)【要約】【課題】意匠変更に際して室内の大きな工事を伴うことがなく、しかも意匠変更それ自体も極めて簡便に行うことのできる間接照明ユニットを提供する。【解決手段】壁面Ｗに取り付けられる灯具本体と、灯具本体２内に設けられた照明光源部３と、灯具本体２の、上面及び前記壁面への取付面を除く外面を覆うものであって、相互に外観の意匠が異なる複数種類の外装化粧部材４とを備えている。灯具本体２には化粧部材取付部（２１，２２，２３）を設ける一方、外装化粧部材４にはその全種類に亘って化粧部材取付部に対応する箇所に被取付部（３１，３２，３３）を全外装化粧部材４間で共通して設けるとともに化粧部材取付部（２１，２２，２３）と被取付部（３１，３２，３３）とを係脱可能に構成し、外装化粧部材４を異なる意匠のものと交換可能とした。【選択図】図２
2019117754.tif 000002
【特許請求の範囲】
【請求項１】
室内の壁面に設置される間接照明ユニットであって、
前記壁面に取り付けられる灯具本体と、
この灯具本体内に設けられた照明光源部と、
前記灯具本体の、上面及び前記壁面への取付面を除く外面を覆うものであって、相互に外観の意匠が異なる複数種類の外装化粧部材と、を備え、
前記灯具本体には化粧部材取付部が設けられる一方、前記外装化粧部材にはその全種類に亘って前記化粧部材取付部に対応する箇所に被取付部が全外装化粧部材間で共通して設けられるとともに前記化粧部材取付部と前記被取付部とが係脱可能に構成され、前記外装化粧部材を異なる意匠のものと交換可能とされたことを特徴とする間接照明ユニット。
【請求項２】
請求項１に記載の間接照明ユニットであって、
前記外装化粧部材は、前記灯具本体の前方外面を覆う前面カバー材と、前記灯具本体の各側方外面をそれぞれ覆うサイドキャップとから構成されたことを特徴とする間接照明ユニット。
【請求項３】
請求項１又は２に記載の間接照明ユニットであって、
前記灯具本体の上面に、前記照明光源部からの照射光を拡散させる拡散板が着脱可能に設けられたことを特徴とする間接照明ユニット。
【請求項４】
請求項３に記載の間接照明ユニットであって、
前記拡散板として、前記照明光源部の照射光の拡散範囲及び／又は透過度合いが異なる複数種類のものが用意され、これら拡散板同士で交換可能とされたことを特徴とする間接照明ユニット。
【発明の詳細な説明】
【技術分野】
【０００１】
本発明は、壁面に取り付けられる間接照明ユニットに関する。
【背景技術】
【０００２】
室内照明には直接照明と間接照明とがあるが、そのうち間接照明は、光源からの光を壁面や天井面に向けそれからの反射光により室内の照明を行うものであり、直接照明のような眩しさや陰影が少ないため、室内を落ち着いた柔らかい雰囲気にできることから、室内空間の演出効果を高めるのに使用されることが多い。
【０００３】
間接照明としては、天井の角や壁面に光源を設置して天井を照らすコーブ照明や、天井と壁面とが接する場所に光源を設置して壁面を照らすコーニス照明に代表されるような、建築構造と一体化させた照明方式である建築化照明（例えば、特許文献１，２参照）と、工場で量産された間接照明ユニットを壁面に取り付けて行う方式（例えば、特許文献３，４参照）とが広く採用されている。
【先行技術文献】
【特許文献】
【０００４】
【特許文献１】実用新案登録第３１７７３７８号公報
【特許文献２】特開２０１４−１０２９０２号公報
【特許文献３】特開平８−１７１８０９号公報
【特許文献４】特開２００７−１３４１７４号公報
【発明の概要】
【発明が解決しようとする課題】
【０００５】
しかしながら、上記の建築化照明にあっては、内装工事の施工者の技量によってその仕上がりが左右されがちであり、また、手直しが必要になったときは、工事の大きな手戻りが発生し、納期を圧迫してしまう、といった問題がある。
【０００６】
また、葬儀場や結婚式場といった商業施設では、設計段階でプロのインテリアデザイナーが間接照明の完成予想図を描き、施主がそれを検討のうえ承認するので、工事完成後の仕上がりが施主の要望通りになっていないといった問題は生じにくい。ところが、一般住宅の場合、照明に関して商業施設の場合のような詳細な打合せが行われることは希であり、また照明について素人である施主のイメージ力では工事の仕上がりを想像することは困難である。このため、工事が完成した後になって、事前に受けた説明とは相違するとの理由で施主から間接照明の意匠変更を求められる場合がある。そのような事態になると、建築化照明では、所謂作り付けであるから、その意匠を変更するには室内の壁紙を剥がしたうえに壁を壊す必要が生じる。このため、さらに工事費が嵩むとともに完成が大幅に遅れるといった問題がある。
【０００７】
一方、間接照明ユニットを壁面に取り付ける方式にあっては、工事完成後に意匠変更を行う必要が生じると、建築化照明の場合のような大規模な工事は伴わないものの、従来の間接照明ユニットの量産品は外装を強度部材とした構造であるために灯具自体を交換する必要が生じる。しかも、シーリングライトのような直接照明灯具に比べて間接照明ユニットはその種類が格段に少ないことから、選択可能な意匠の種類が少なく、施主の要望に沿えない場合が生じる。また、無理に要望に沿うとなるとカスタマイズが必要になり、そのための費用が大きく嵩むので、現実的には対応できないといった問題がある。
【０００８】
本発明は、かかる問題を改善するためになされたもので、意匠変更に際して室内の大きな工事を伴うことがなく、しかも意匠変更それ自体も極めて簡便に行うことのできる間接照明ユニットを提供するものである。
【課題を解決するための手段】
【０００９】
前述の目的を達成するため、本発明の間接照明ユニットは、室内の壁面に設置される間接照明ユニットであって、前記壁面に取り付けられる灯具本体と、この灯具本体内に設けられた照明光源部と、前記灯具本体の、上面及び前記壁面への取付面を除く外面を覆うものであって、相互に外観の意匠が異なる複数種類の外装化粧部材と、を備え、前記灯具本体には化粧部材取付部が設けられる一方、前記外装化粧部材にはその全種類に亘って前記化粧部材取付部に対応する箇所に被取付部が全外装化粧部材間で共通して設けられるとともに前記化粧部材取付部と前記被取付部とが係脱可能に構成され、前記外装化粧部材を異なる意匠のものと交換可能とされたことを特徴とするものである。
【００１０】
上記の本発明によれば、相互に外観の意匠が異なる複数種類の外装化粧部材を備えており、それらには共通して灯具本体の化粧部材取付部と係脱可能な被取付部が設けられているので、工事完了後に施主の要望により間接照明の意匠変更をしなければならない場合や、室内装飾の変更や壁紙の交換によって間接照明との意匠の不一致が生じ、それを解消するための手直しをしなければならない場合に、従来のような大きな工事のやり直しをしなくても、単に外装化粧部材を交換するだけで意匠の変更に対応することが可能となる。
【００１１】
また、上記の間接照明ユニットにあっては、外装化粧部材は、灯具本体の前方外面を覆う前面カバー材と、灯具本体の各側方外面をそれぞれ覆うサイドキャップとから構成されたものであってもよい。
【００１２】
この場合、複数の間接照明ユニットを横一列に連結して取り付ける場合に、連結部分において連結用サイドキャップを用いることで、灯具本体同士を直接接続することができる。
【００１３】
また、上記の間接照明ユニットにあっては、灯具本体の上面に、照明光源部からの照射光を拡散させる拡散板が着脱可能に設けられていてもよい。
【００１４】
この場合、拡散板の上に埃が溜まって汚れても、拡散板を簡単に取り外して洗浄することができる。
【００１５】
また、上記の間接照明ユニットにあっては、拡散板として、照明光源部の照射光の拡散範囲及び／又は透過度合いが異なる複数種類のものが用意され、これら拡散板同士で交換可能とされてもよい。
【００１６】
この場合、室内の広さや天井との距離などに適した拡散板を選択することで、その室内に最適の間接照明を得ることができる。
【発明の効果】
【００１７】
本発明によれば、意匠変更に際して室内の大きな工事を伴うことがなく、しかも意匠変更それ自体も極めて簡便に行うことのできる間接照明ユニットを提供することができる。
【図面の簡単な説明】
【００１８】
【図１】本発明の一実施形態に係る間接照明ユニットを前方斜め下から見上げた斜視図である。
【図２】間接照明ユニットの分解斜視図である。
【図３】灯具本体を示す部分拡大斜視図である。
【図４Ａ】外装化粧部材を構成する前面カバー材の一例を示す部分斜視図である。
【図４Ｂ】図４Ａに示す前面カバー材をその内側から見た部分斜視図である。
【図４Ｃ】図４Ａに示す前面カバー材の端面図である。
【図５】間接照明ユニットの取付状態を示す断面図である。
【図６】灯具本体の端部におけるサイドキャップの取付状態を示す、上方から見た部分断面図である。
【図７】（ａ）は外装化粧部材を構成する前面カバー材の他の例を示す部分斜視図、（ｂ）は（ａ）に示す前面カバー材をその内側から見た部分斜視図、（ｃ）は（ａ）に示す前面カバー材の端面図である。
【図８】（ａ）は外装化粧部材を構成する前面カバー材の他の例を示す部分斜視図、（ｂ）は（ａ）に示す前面カバー材をその内側から見た部分斜視図、（ｃ）は（ａ）に示す前面カバー材の端面図である。
【図９】（ａ）は外装化粧部材を構成する前面カバー材の他の例を示す部分斜視図、（ｂ）は（ａ）に示す前面カバー材をその内側から見た部分斜視図、（ｃ）は（ａ）に示す前面カバー材の端面図である。
【図１０】（ａ）は外装化粧部材を構成する前面カバー材の他の例を示す部分斜視図、（ｂ）は（ａ）に示す前面カバー材をその内側から見た部分斜視図、（ｃ）は（ａ）に示す前面カバー材の端面図である。
【図１１】（ａ）は外装化粧部材を構成する前面カバー材の他の例を示す部分斜視図、（ｂ）は（ａ）に示す前面カバー材をその内側から見た部分斜視図、（ｃ）は（ａ）に示す前面カバー材の端面図である。
【図１２】（ａ）は連結用サイドキャップを一方側から見た斜視図、（ｂ）は連結用サイドキャップを他方側から見た斜視図である。
【発明を実施するための形態】
【００１９】
以下、本発明の実施の形態について図を参照して説明する。
【００２０】
図１は、本発明の一実施形態に係る間接照明ユニットを前方斜め下から見上げた斜視図、図２は、間接照明ユニットの分解斜視図、図３は、灯具本体を示す部分拡大斜視図、図４Ａは、外装化粧部材を構成する前面カバー材の一例を示す部分斜視図、図４Ｂは、図４Ａに示す前面カバー材をその内側から見た部分斜視図、図４Ｃは、図４Ａに示す前面カバー材の端面図、図５は、間接照明ユニットの取付状態を示す断面図、図６は、灯具本体の端部におけるサイドキャップの取付状態を示す、上方から見た部分断面図である。
【００２１】
この間接照明ユニット１は、図５に示すように、室内の壁面Ｗに設置され、光源からの光を天井面Ｃに向けそれからの反射光により室内の照明を行うものであって、図２に示すように、灯具本体２と、照明光源部３と、外装化粧部材４と、拡散板５を備えている。以下、各部について詳述する。
【００２２】
＜灯具本体＞
灯具本体２は、間接照明ユニット１の基体となるものであって、図２、図３及び図５に示すように、照明光源部３を構成する電源ユニット３ａを収容する電源収容部７と、この電源収容部７の両側からそれぞれ延出されたメインフレーム８，８と、これらメインフレーム８，８の各先端部（左右端部）及び該先端部と電源収容部７との間に等間隔で垂設された取付アングル９と、これら取付アングル９間に設けられた幕板１０と、取付アングル９からそれぞれ前方に延設された光源支持アーム１１と、これら光源支持アーム１１の各下面において該アーム１１間に架設された連結アーム１２と、この連結アーム１２から下方に垂設された複数本の化粧部材支持杆１３と、光源支持アーム１１の先端部にメインフレーム８，８と対向して架設されたサブフレーム１４，１４とから構成されている。この灯具本体２は、十分な剛性を得るうえから、例えばアルミニウムなどの金属材料で構成されるのが好ましいが、剛性の点で問題がなければ合成樹脂材料で構成されていてもよい。
【００２３】
電源収容部７は、図２及び図５に示すように、壁面Ｗへの取付時に該壁面Ｗと当接する背面板１５と、電源ユニット３ａの底面を受ける底板１６と、背面板１５と対向して設けられた前面板１７と、背面板１５と前面板１７の各両端間に設けられた左右側面板１８，１８とから構成されている。背面板１５には、図示例では３つの通孔１９が形成されている。この通孔１９は、壁面Ｗの裏側から延出された電源コード（図示省略）を電源収容部７内に引き入れるのに使用される。前面板１７は、その上端部が、光源支持アーム１１の前縁部の外形状にならって円弧状に前方へ膨出されている。また、前面板１７の上端において左右方向中央部には化粧部材取付部を構成する複数の第１係止部２１のうちの一つが前方へ向けて突設されている。左右側面板１８，１８には、それぞれ各上端縁に円弧状の光源受部２０，２０が凹設されている。
【００２４】
メインフレーム８，８は、それぞれその上面８ａ，８ａが前方へ向かって下る傾斜面とされており、これら上面８ａ，８ａには複数箇所に亘って、拡散板５を係止するための係止突起２４が配設されている。
【００２５】
取付アングル９は、壁面Ｗへの取付部としての機能と、外装化粧部材４の支持部としての機能を有するものである。各取付アングル９の下端面には、外装化粧部材４の被取付部を構成する第３被係止部３３と係合する第３係止部である係合溝２３がそれぞれ設けられている。また、メインフレーム８の各先端部（左右端部）に位置する取付アングル９は、その側面において外装化粧部材４を構成するサイドキャップ４２が取り付けられるサイドキャップ取付部としての機能を有するものであり、これら２つの取付アングル９の前面側には、サイドキャップ４２の一方の係止爪（これも外装化粧部材４の被取付部を構成する）４３と係合する係合溝２５が設けられている。
【００２６】
光源支持アーム１１は、それぞれその上面が、上記電源収容部７の左右側面板１８，１８と同様に、円弧状に窪む光源受部２０とされている。また、各光源支持アーム１１の先端部には、化粧部材取付部を構成する第１係止部２１がそれぞれ設けられている。これら光源支持アーム１１の先端部の第１係止部２１と上記した電源収容部７の第１係止部２１とは、外装化粧部材４の被取付部を構成する第１被係止部３１と係合する係合溝２１ａと、この係合溝２１ａにその前方から後方に向かって第１被係止部３１を案内するガイド斜面２１ｂとで構成されている。また、メインフレーム８の各先端部（左右端部）に位置する取付アングル９から延設された光源支持アーム１１には、その内面側に、サイドキャップ４２の他方の係止爪４３と係合する係合溝２５が設けられている。
【００２７】
連結アーム１２は、光源支持アーム１１同士を連結することによりそれらの補強を担うものであるとともに、化粧部材支持杆１３の取付部となるものである。
【００２８】
化粧部材支持杆１３は、外装化粧部材４を支持するものであり、その下端部に、化粧部材取付部を構成する第２係止部２２が設けられている、この第２係止部２２は、化粧部材支持杆１３の後面側に設けられた凸部で構成されており、外装化粧部材４の被取付部を構成する第２被係止部３２と係合する。また、これら化粧部材支持杆１３は、その前面の幅方向中央部に補強リブ１３ａが設けられており、外装化粧部材４の脱着時において前後方向に揺動しないように図られている。
【００２９】
サブフレーム１４は、拡散板５の前端縁を支持するものであり、その上面１４ａが後方へ向かって下る傾斜面とされており、これら上面１４ａには複数箇所に亘って、拡散板５を係止するための係止突起２４が配設されている。また、このサブフレーム１４は、光源支持アーム１１の上記第１係止部２１の直ぐ後方に設けられており、その前面が光源支持アーム１１の上記係合溝２１ａの後方側内壁面とされている。
【００３０】
＜照明光源部＞
照明光源部３は、外部から給電される商用電源の交流を直流に変換する電源ユニット３ａと、この電源ユニット３ａによって制御されるＬＥＤ照明モジュール３ｂとから構成されている。ＬＥＤ照明モジュール３ｂは、その上面に多数個のＬＥＤチップが列設されている。また、ＬＥＤ照明モジュール３ｂの下面は、横断面形状が円弧状に形成されており、上記した光源支持アーム１１及び電源収容部７の光源受部２０と合致するようになっている。
【００３１】
＜外装化粧部材＞
外装化粧部材４は、灯具本体２の、上面及び壁面Ｗへの取付面を除く外面を覆うものであって、図４Ａから図４Ｃ及び図７から図１１に示すように、相互に外観の意匠が異なる複数種類のものが用意されている。この外装化粧部材４は、灯具本体の前面側を覆う前面カバー材４１と、上記した左右一対のサイドキャップ４２，４２とから構成されている。
【００３２】
前面カバー材４１は、前面に幅方向全長に亘る凹凸模様が付与されたものであり、例えば合成樹脂押出材が適している。上記凹凸模様は、図示例のものに限らず、様々に展開することができ、その種類が多ければ多いほど施主の要望に応じ易い。その一方で、灯具本体２への装着が一様にできるよう、前面カバー材４１に設けられる被取付部は、すべての種類の前面カバー材４１で共通化されており、いずれの前面カバー材４１においても、被取付部を構成する第１被係止部３１、第２被係止部３２及び第３被係止部３３の形態は前面カバー材４１間で同じとされている。すなわち、すべての種類の前面カバー材４１において、前面カバー材４１の上側端縁に設けられる第１被係止部３１は、灯具本体２の上記第１係止部２１と係合可能な係止爪で構成され、前面カバー材４１の下面内側に立設される第２被係止部３２は、灯具本体２の上記第２係止部２２と係合可能な係止爪で構成され、前面カバー材４１の下面先端に設けられる第３被係止部３３は、灯具本体２の上記第３係止部２３と係合可能となるように設定されている。そしてこれら被係止部３１〜３３は、それぞれに対応する係止部２１〜２３と係脱される際、前面カバー材４１自体が有する可撓性により弾性的に撓むようになっている。
【００３３】
サイドキャップ４２，４２は、上記前面カバー材４１と同様、例えば、合成樹脂成形品が適している。これらサイドキャップ４２，４２の形状は、灯具本体２に前面カバー材４１を取り付けた状態における横断面形状に沿った形状とされており、内面側の周縁部には、前面カバー材４１及び灯具本体２の外縁部に外嵌される立壁部４２ａが設けられている。また、このようになるサイドキャップ４２，４２は、その内面側に、灯具本体２の左右端部における取付アングル９，９の係合溝２５、及び、この係合溝２５と対峙する光源支持アーム１１の係合溝２５とそれぞれ係合する係止爪４３，４３が設けられている。当然のことながら、このサイドキャップ４２は、相互に意匠が異なる個々の前面カバー材４１に対応するものであるから、サイドキャップ４２の種類は前面カバー材４１のそれと同じである。
【００３４】
＜拡散板＞
拡散板５は、ＬＥＤ照明モジュール３ｂから照射される光を設計通りに拡散させるためのものであり、透光性を有する合成樹脂材により成形されている。この拡散板５は、図５に示すように、上面がフラットに形成される一方、ＬＥＤ照明モジュール３ｂに臨む下面は、複数の凹条５ａがその長手方向全長に亘って形成されており、これによって厚みを幅方向に沿って異ならせ、レンズ効果が奏されるように図られている。また、拡散板５の下面側においてその両側縁には、上記メインフレーム８の係止突起２４とサブフレーム１４の係止突起とに係合する凹溝５ｂ，５ｂが長手方向全長に亘って設けられている。これら係止突起２４と凹溝５ｂとは、拡散板５自体が有する可撓性により弾性的に係合するようになっている。
【００３５】
以上のようになる間接照明ユニット１にあっては、相互に外観の意匠が異なる複数種類の外装化粧部材４である前面カバー材４１及びサイドキャップ４２を備えており、前面カバー材４１には共通して灯具本体２の化粧部材取付部（第１係止部２１、第２係止部２２、第３係止部２３）と係脱可能は被取付部（第１被係止部３１、第２被係止部３２、第３被係止部３３）が設けられているので、工事完了後に施主の要望により間接照明の意匠変更をしなければならない場合や、室内装飾の変更や壁紙の交換によって間接照明との意匠の不一致が生じ、それを解消するための手直しをしなければならない場合に、従来のような大きな工事のやり直しをしなくても、単に前面カバー材４１とサイドキャップ４２とを交換するだけで意匠の変更に対応することが可能となる。
【００３６】
また、上記の間接照明ユニット１にあっては、外装化粧部材４は、灯具本体２の前方外面を覆う前面カバー材４１と、灯具本体２の各側方外面をそれぞれ覆うサイドキャップ４２とから構成されているので、例えば、複数の間接照明ユニット１を横一列に連結して取り付ける場合に、連結部分において図１２に示すような連結用サイドキャップを用いることで、灯具本体２同士を直接接続することができる。この連結用サイドキャップ４２Ｊの形状は、上記サイドキャップ４２と同様、灯具本体２に前面カバー材４１を取り付けた状態における横断面形状に沿った形状とされており、表裏両面の周縁部には、前面カバー材４１及び灯具本体２の外縁部に外嵌される立壁部４２ａがそれぞれ設けられている。また、このようになる連結用サイドキャップ４２Ｊは、その表裏両面に、灯具本体２の左右端部における取付アングル９，９の係合溝２５、及び、この係合溝２５と対峙する光源支持アーム１１の係合溝２５とそれぞれ係合する係止爪４３，４３がそれぞれ設けられている。当然のことながら、この連結用サイドキャップ４２Ｊも、相互に意匠が異なる個々の前面カバー材４１に対応するものであるから、連結用サイドキャップ４２Ｊの種類も前面カバー材４１のそれと同じである。
【００３７】
また、上記の間接照明ユニット１にあっては、拡散板５が上面に設けられているので、埃は拡散板５上に溜めることで、清掃時に照明光源部３を損傷する危険を排除することができる。また、拡散板５が着脱可能に設けられているので、拡散板５が汚れても、拡散板５を簡単に取り外して洗浄することができる。さらに、拡散板５として、ＬＥＤ照明モジュール３ｂの照射光の拡散範囲及び／又は透過度合いが異なる複数種類のものを用意しておけば、これら拡散板５同士で交換可能となるので、室内の広さや天井との距離などに適した拡散板５を選択することで、その室内に最適の間接照明を得ることができる。
【００３８】
なお、上記した実施の形態では、外装化粧部材４を前面カバー材４１とサイドキャップ４２の２部材で構成しているが、それら２つの部材４１，４２が一体化された形態のものであってもよい。
【００３９】
また、灯具本体２への外装化粧部材４の取付手段は上記したような構成に限定されるものではなく、取り合いに影響しない範囲で適宜改変可能である。
【符号の説明】
【００４０】
１    間接照明ユニット
２    灯具本体
３    照明光源部
３ａ  電源ユニット
３ｂ  ＬＥＤ照明モジュール
４    外装化粧部材
４１  前面カバー材
４２  サイドキャップ
５  拡散板
２１  第１係止部（化粧部材取付部）
２２  第２係止部（化粧部材取付部）
２３  第３係止部（化粧部材取付部）
３１  第１被係止部（被取付部）
３２  第２被係止部（被取付部）
３３  第３被係止部（被取付部）
【図１】
2019117754.tif 000003
【図２】
2019117754.tif 000004
【図３】
2019117754.tif 000005
【図４Ａ】
2019117754.tif 000006
【図４Ｂ】
2019117754.tif 000007
【図４Ｃ】
2019117754.tif 000008
【図５】
2019117754.tif 000009
【図６】
2019117754.tif 000010
【図７】
2019117754.tif 000011
【図８】
2019117754.tif 000012
【図９】
2019117754.tif 000013
【図１０】
2019117754.tif 000014
【図１１】
2019117754.tif 000015
【図１２】
2019117754.tif 000016